(57)【特許請求の範囲】
【請求項１】
フランジから立ち下げられ凹段差状に形成された腰掛け部を備えてなる半身浴機能付き浴槽と、この浴槽の腰掛け部の後方側にあたる浴室壁面位置に設けられる出窓パネルとを備えてなる浴室ユニットであって、上記の腰掛け部が浴槽の長手方向における出窓パネル側の一辺の中央部に設けられ、この腰掛け部回りのフランジの位置に、入浴者が半身浴時に腕や肘を休ませるためのアームレストがフランジの上面から上向きに突き出されて凸段差状に設けられ、このアームレストの上面が略瓢箪をその長手方向に沿って二つ割りしたときの表面形状を模して湾曲状に形成され、上記の出窓パネルの横方向の寸法が、浴槽の長手方向の長さに対応して選定され、出窓パネルが浴槽の長手方向に沿って設けられていることを特徴とする浴室ユニット。
【請求項２】
請求項１記載の浴室ユニットであって、アームレストが、腰掛け部の両側に、フランジと一体成形されて凸段差状に形成されていることを特徴とする浴室ユニット。
【請求項３】
フランジから立ち下げられ凹段差状に形成された腰掛け部を備えてなる半身浴機能付き浴槽と、この浴槽の腰掛け部の後方側にあたる浴室壁面位置に設けられる出窓パネルとを備えてなる浴室ユニットであって、上記の腰掛け部が浴槽の長手方向における出窓パネル側の一辺の中央部に設けられ、この腰掛け部に対応する出窓パネルの垂直面位置に、枕や背凭れとして機能するバックサポート部を出窓パネルの垂直面位置から腰掛け部の側に突出状に備え、このバックサポート部の前面が中央部を最も凹ませて真上から見て凹湾曲状に形成され、上記の出窓パネルの横方向の寸法が、浴槽の長手方向の長さに対応して選定され、出窓パネルが浴槽の長手方向に沿って設けられていることを特徴とする浴室ユニット。
【請求項４】
請求項３記載の浴室ユニットであって、バックサポート部の上面に、小物を載置させるための載置部が形成されていることを特徴とする浴室ユニット。
【発明の詳細な説明】
【０００１】
【発明の属する技術分野】
本発明は、浴室ユニットに関し、更に詳しくは半身浴機能付き浴槽、及びこの浴槽と共に浴室を形成する出窓パネルとを備えてなる浴室ユニットに関するものである。
【０００２】
【従来の技術】
従来、半身浴機能付き浴槽としては、例えば長手方向の一端側に腰掛け部が形成され、この腰掛け部に腰掛けることにより、全身入浴だけではなく半身浴も可能になるよう形成されたものがある。
【０００３】
又従来、この種の浴槽としては、長手方向の一端側に腰掛け部が設けられ、この腰掛け部に腰掛けた入浴者の背中や頭を支承するための背凭れピースを備えてなるものがある（例えば特開平１１ー５６６６２号公報参照）。
【０００４】
【発明が解決しようとする課題】
ところでこの種の浴槽は、入浴者の下半身を温め、長時間入浴しても、のぼせることなく、又心臓に負担を与えることなく、快適に入浴できるものであるが、半身浴時に入浴者の腕や肘を休ませる箇所を有するなら、一層、快適に入浴できるものである。
【０００５】
又従来、この種の浴槽と共に浴室ユニットを形成する出窓パネルとしては、浴槽の腰掛け部の後方にあたる浴室壁面に設けられるものがある。
【０００６】
この種の出窓パネルは、浴室空間を簡便に拡張できる等の利点を有する反面、腰掛け部の後方に広い開放スペースを形成するものである。従って従来品によると、腰掛け部に腰掛けて半身浴したとき、入浴者は身体を寄りかからせてゆったりした姿勢で半身浴できない、という問題点があった。
【０００７】
本発明は、このような従来品の問題点に鑑み、提案されたものである。
【０００８】
従って本発明の技術的課題は、腰掛け部に腰掛けて半身浴する際の快適性を向上させることができるよう形成した半身浴機能付き浴槽、及び出窓パネルを備えてなる浴室ユニットを提供することにある。具体的には、半身浴時に腕や肘を休ませることができるよう形成した半身浴機能付き浴槽、及び身体を寄りかからせてゆったりした姿勢を採ることができるよう形成した出窓パネルを備えてなる浴室ユニットを提供することにある。
【０００９】
【課題を解決するための手段】
本発明は、上記の課題を解決するために、次のような技術的手段を採る。
【００１０】
即ち本発明は、図１に示されるように、フランジ１から立ち下げられ凹段差状に形成された腰掛け部２を備えてなる半身浴機能付き浴槽７と、この浴槽７の腰掛け部２の後方側にあたる浴室壁面位置に設けられる出窓パネル８とを備えてなる浴室ユニットであって、上記の腰掛け部２が浴槽７の長手方向における出窓パネル８側の一辺の中央部に設けられ、この腰掛け部２回りのフランジ１の位置に、入浴者３が半身浴時に腕や肘を休ませるためのアームレスト４がフランジ１の上面から上向きに突き出されて凸段差状に設けられ、このアームレスト４の上面が略瓢箪をその長手方向に沿って二つ割りしたときの表面形状を模して湾曲状に形成され、上記の出窓パネル８の横方向の寸法が、浴槽７の長手方向の長さに対応して選定され、出窓パネル８が浴槽７の長手方向に沿って設けられていることを特徴とする（請求項１）。
【００１１】
アームレスト４は、具体的には図示されるように、腰掛け部２の両側に、フランジ１と一体成形されて凸段差状に形成されるのが好ましい（請求項２）。
【００１２】
なぜならこの場合は、腕や手のひら等を押し付けてつぼを刺激させるような、マッサージ器具代わりにアームレスト４を使用でき、又一体成形のため後加工する手間暇を一掃でき、更にはフランジ１との接合部が生じないため、見た目が良く掃除の手間暇を軽減できるからである。
【００１３】
又本発明の浴室ユニットとしては、例えば図３に示されるように形成されるものがある。
即ちこの本発明品は、フランジ１から立ち下げられ凹段差状に形成された腰掛け部２を備えてなる半身浴機能付き浴槽７と、この浴槽７の腰掛け部２の後方側にあたる浴室壁面位置に設けられる出窓パネル８とを備えてなる浴室ユニットであって、上記の腰掛け部２が浴槽７の長手方向における出窓パネル８側の一辺の中央部に設けられ、この腰掛け部２に対応する出窓パネル８の垂直面位置８ａに、枕や背凭れとして機能するバックサポート部９を出窓パネル８の垂直面位置８ａから腰掛け部２の側に突出状に備え、このバックサポート部９の前面９ｃが中央部を最も凹ませて真上から見て凹湾曲状に形成され、上記の出窓パネル８の横方向の寸法が、浴槽７の長手方向の長さに対応して選定され、出窓パネル８が浴槽７の長手方向に沿って設けられていることを特徴とする（請求項３）。
【００１４】
この場合、バックサポート部９は、一体成形されているのでも、或いは後加工によって取り付けられるのでも良く、又着脱自在に形成されているのでも良い。
【００１５】
又本発明の場合、バックサポート部９の上面９ａに、小物を載置させるための載置部９ｂが形成されているのが好ましい（請求項４）。
【００１６】
なぜならこの場合は、載置部９ｂにタオル等の小物を一時的に置くことができ、バックサポート部９をカウンターとして利用できるからである。載置部９ｂは、上面９ａの両側或いは片側に、水切り勾配を有して例えば平面状に形成されることにより達成される。
【００１７】
なおバックサポート部９は、背中や頭が接する前面９ｃがクッション性を有するよう、軟質材で形成されたり、軟質性のカバーが被せられたり、又マッサージ効果を得られるよう、バイブレータを備えてなるのでも良い。
【００１８】
【発明の実施の形態】
以下、本発明の好適な一実施形態を添付図面に従って説明する。
【００１９】
図１等において、１は本発明の浴室ユニットを形成する浴槽７（図３等参照）のフランジであり、２はこのフランジ１から立ち下げられ凹段差状に形成された腰掛け部である。この腰掛け部２は、本発明では浴槽７の長手方向における一辺側の中央部に設けられている。
【００２０】
３は入浴者であり、４は入浴者３が半身浴時に腕や肘を休ませるためのアームレストである。このアームレスト４は、腰掛け部２回りのフランジ１の位置に設けられるものであり、この実施形態では腰掛け部２の両側に、フランジ１と一体成形され、凸段差状に形成されている。
【００２１】
５（図２参照）は、建築躯体である。本発明の浴槽は、この建築躯体５の土台６の上方に腰掛け部２を配置させて設置されている。
【００２２】
而して本発明の浴槽を使用するときは、図１に示されるように、入浴者３は出窓側を背にして腰掛け部２に腰掛け、アームレスト４に腕や肘を載せて使用する。この場合入浴者は、アームレスト４の凸部に腕等を押し付け、ツボを刺激するマッサージ器具代わりにアームレスト４を使用しても良い。
【００２３】
次に本発明の浴室ユニットを形成する出窓パネル８の好適な一実施形態を、図３、図４に従って説明する。上例と同一箇所、同一部材には、同一番号を付し、詳しい説明は省略する。
【００２４】
７は、半身浴機能付き浴槽である。この浴槽７は、フランジ１から立ち下げられ凹段差状に形成された腰掛け部２を備え、この腰掛け部２を建築躯体５の土台６の上方に配置させて設置されている。本発明の浴室ユニットを形成する出窓パネル８は、浴室に出窓を形成するため、この浴槽７の腰掛け部２の後方側にあたる浴室壁面位置に設けられるものである。
【００２５】
９は、枕や背凭れとして機能するバックサポート部である。本発明の浴室ユニットを形成する出窓パネル８は、このバックサポート部９を、浴槽７の腰掛け部２に対応する垂直面位置８ａに備えてなる。
【００２６】
又この実施形態の場合、バックサポート部９は、垂直面位置８ａに一体成形されると共に、上面９ａの両端位置に、タオル等の小物を載置させるための載置部９ｂが水切り勾配を有して平面状に形成されている。又背中等が当接する前面９ｃは、クッション性を有するよう、軟質性の樹脂材で形成されている。
【００２７】
又本発明の浴室ユニットを形成する出窓パネル８は、横方向の寸法が浴槽７の長手方向の長さに対応して選定され、浴槽７の長手方向に沿って設けられている。なお１０は浴槽載置用パンであり、１１は浴槽エプロン、１２は洗い場パンである。
【００２８】
本発明の浴室ユニットを形成する出窓パネル８は、上記のように形成されたバックサポート部９を備えてなる。従って入浴者３は、腰掛け部２に座って半身浴する際、図３に示されるように、このバックサポート部９に寄りかかり、背中等を支承させて入浴するものである。
【００２９】
【発明の効果】
以上説明したように本発明の浴室ユニットを形成する半身浴機能付き浴槽は、腰掛け部回りのフランジの位置に、入浴者が半身浴時に腕や肘を休ませるためのアームレストがフランジの上面から上向きに突き出されて凸段差状に設けられ、このアームレストの上面が略瓢箪をその長手方向に沿って二つ割りしたときの表面形状を模して湾曲状に形成されているものである。
【００３０】
従って本発明を使用すれば、入浴者はアームレストに腕等を載せて休ませることができるから、腰掛け部に座って快適に半身浴できる。
【００３１】
又本発明の浴室ユニットを形成する出窓パネルは、腰掛け部に対応する垂直面位置に、枕や背凭れとして機能するバックサポート部を出窓パネルの垂直面位置から腰掛け部の側に突出状に備え、このバックサポート部の前面が中央部を最も凹ませて真上から見て凹湾曲状に形成され、横方向の寸法が、浴槽の長手方向の長さに対応して選定され、浴槽の長手方向に沿って設けられている。
【００３２】
従って本発明の浴室ユニットを形成する出窓パネルを使用すれば、入浴者は浴槽の腰掛け部に座って身体をバックサポート部に寄りかからせることができるから、ゆったりした姿勢で快適に半身浴できる。
またこれによれば、背凭れ機能を持つ出窓を浴槽の長手方向にわたって形成できる。
【図面の簡単な説明】
【図１】  本発明の浴室ユニットを形成する浴槽の好適な一実施形態を示す使用状態時の要部斜視図である。
【図２】  図１のIIーII線における要部断面図である。
【図３】  本発明の浴室ユニットを形成する出窓パネルの好適な一実施形態を示し、図４のIIIーIII線における要部断面図である。
【図４】  同上出窓パネルの使用状態時の要部斜視図である。
【符号の説明】
１    フランジ
２    腰掛け部
３    入浴者
４    アームレスト
５    建築躯体
６    土台
７    浴槽
８    出窓パネル
８ａ  垂直面位置
９    バックサポート部
９ａ  上面
９ｂ  載置部
９ｃ  前面
１０  浴槽載置用パン
１１  浴槽エプロン
１２  洗い場パン
【図１】
0004505988.tif 000002
【図２】
0004505988.tif 000003
【図３】
0004505988.tif 000004
【図４】
0004505988.tif 000005